(57)【要約】      （修正有）【課題】土嚢袋として使用可能な袋に関し、袋の開口部を簡単かつ的確に閉じることができ、開口部を閉じる作業を短時間に効率的に行うことができる袋を提供する。【解決手段】袋本体２の上部開口部３から底部４側に向けて間隔をおいた位置に、可撓性を有する帯状片１０をその長手方向が上部開口部３の辺部と同方向を指向するように固着する。帯状片１０は、その自由端部側の片面に第１面ファスナー１１を備えるとともに、反対側の面に第１面ファスナー１１と係合可能な第２面ファスナー１２を備えている。帯状片１０を巻き回し、帯状片１０の第１面ファスナー１１を第２面ファスナー１２に係合、張り合わせることによって、袋本体２の絞った上部開口部３近傍を包囲して閉じる。【選択図】図１
0003185966.tif 000002
【実用新案登録請求の範囲】
【請求項１】
土砂等を収容して土嚢袋として使用可能な袋であって、
袋本体の上部開口部から底部側に向けて間隔をおいた位置に、可撓性を有する帯状片をその長手方向が前記上部開口部の辺部と同方向を指向するように固着してなり、
前記帯状片は、少なくともその自由端部側の片面に第１面ファスナーを備えるとともに、前記片面と反対側の面に前記第１面ファスナーと係合可能な第２面ファスナーを備えていることを特徴とする袋。
【請求項２】
土砂等を収容して土嚢袋として使用可能な袋であって、
袋本体の上部開口部から底部側に向けて間隔をおいた位置に、合成樹脂製の結束具を取り付けてなり、
前記結束具は、扁平で細長い可撓性を有するベルト部と、該ベルト部の一端側に連設された結束部とを備え、該結束部には前記ベルト部を巻き回して挿入可能な孔部が形成されており、該孔部に前記ベルト部をその自由端部側から挿入することによって、前記ベルト部が前記結束部から離脱せずに所定位置に保持されることを特徴とする袋。
【請求項３】
土砂等を収容して土嚢袋として使用可能な袋であって、
袋本体の上部開口部から底部側に向けて間隔をおいた位置の袋の外面に、リング状をなす結束紐を取り付けてなり、
前記結束紐は可撓性の紐と該紐が挿通された紐止め具とを備え、該紐止め具は、挿通された紐に対して任意の位置に停止可能であって、リングの大きさを縮径した状態に保持可能であり、
前記上部開口部近傍を絞った状態で前記結束紐のリング状部を、絞った部分に被せ、リングの大きさを減ずるように前記紐止め具をスライドさせて停止させ、その状態を保持させることができるようにしたことを特徴とする袋。
【請求項４】
土砂等を収容して土嚢袋として使用可能な袋であって、
袋本体の上部開口部から底部側に向けて間隔をおいた位置に、リング状をなすゴムバンドを取り付けてなることを特徴とする袋。
【考案の詳細な説明】
【技術分野】
【０００１】
本考案は、土砂等を収容して土嚢袋として使用可能な袋に関する。
【背景技術】
【０００２】
従来、この種の袋として、袋体の上辺の袋口の袋口端に沿った筒部内に、袋口閉鎖用の紐を通したものが知られている。
例えば、特許文献１に記載された土嚢では、袋体２の袋口端８を外側に折返し、折返しの先端を袋体２に縫合して袋口端８の袋口に両端を開口した袋状の帯９を形成する。この袋状の帯９に紐１０を挿通して、紐１０の両端を引出す。そして、使用時には、袋体２の袋口端８を開き、土砂あるいは岩石等を袋体２内に収納し、紐１０の両端を引張って袋口端８を閉じ、紐１０の両端を袋口端８の周囲に巻回して、袋口端８から土砂や岩石が洩れないように絞束する。
しかしながら、上記のような袋においては、袋状の帯９から紐１０の両端を引っ張り出す、紐１０の両端を袋口端８の周囲に巻回す、紐１０を結び締める、という作業が必要であり、袋の開口部を閉じる作業が簡単とはいえず、手間取るという問題点がある。
【先行技術文献】
【特許文献】
【０００３】
【特許文献１】登録実用新案第３０５５５７５号公報
【考案の概要】
【考案が解決しようとする課題】
【０００４】
上記背景技術に鑑み、本考案は、土嚢袋として使用可能な袋に関し、袋の開口部を簡単かつ的確に閉じることができ、開口部を閉じる作業を短時間に効率的に行うことができる袋を提供することを課題とする。
【課題を解決するための手段】
【０００５】
（１）土砂等を収容して土嚢袋として使用可能な袋であって、
袋本体の上部開口部から底部側に向けて間隔をおいた位置に、可撓性を有する帯状片をその長手方向が前記上部開口部の辺部と同方向を指向するように固着してなり、
前記帯状片は、少なくともその自由端部側の片面に第１面ファスナーを備えるとともに、前記片面と反対側の面に前記第１面ファスナーと係合可能な第２面ファスナーを備えていることを特徴とする袋である。
（２）土砂等を収容して土嚢袋として使用可能な袋であって、
袋本体の上部開口部から底部側に向けて間隔をおいた位置に、合成樹脂製の結束具を取り付けてなり、
前記結束具は、扁平で細長い可撓性を有するベルト部と、該ベルト部の一端側に連設された結束部とを備え、該結束部には前記ベルト部を巻き回して挿入可能な孔部が形成されており、該孔部に前記ベルト部をその自由端部側から挿入することによって、前記ベルト部が前記結束部から離脱せずに所定位置に保持されることを特徴とする袋である。
（３）土砂等を収容して土嚢袋として使用可能な袋であって、
袋本体の上部開口部から底部側に向けて間隔をおいた位置の袋の外面に、リング状をなす結束紐を取り付けてなり、
前記結束紐は可撓性の紐と該紐が挿通された紐止め具とを備え、該紐止め具は、挿通された紐に対して任意の位置に停止可能であって、リングの大きさを縮径した状態に保持可能であり、
前記上部開口部近傍を絞った状態で前記結束紐のリング状部を、絞った部分に被せ、リングの大きさを減ずるように前記紐止め具をスライドさせて停止させ、その状態を保持させることができるようにしたことを特徴とする袋である。
（４）土砂等を収容して土嚢袋として使用可能な袋であって、
袋本体の上部開口部から底部側に向けて間隔をおいた位置に、リング状をなすゴムバンドを取り付けてなることを特徴とする袋である。
【考案の効果】
【０００６】
（１）袋本体の上部開口部から底部側に向けて間隔をおいた位置に、可撓性を有する帯状片をその長手方向が前記上部開口部の辺部と同方向を指向するように固着してなり、前記帯状片は、少なくともその自由端部側の片面に第１面ファスナーを備えるとともに前記片面と反対側の面に前記第１面ファスナーと係合可能な第２面ファスナーを備えていることを特徴とする袋によれば、袋本体の上部開口部近傍を絞った状態で帯状片を巻き回し、帯状片の第１面ファスナーを第２面ファスナーに係合、張り合わせることによって、袋本体の開口部を絞った状態で閉じることができるため、従来のように紐を引き出し、巻き回して結ぶという作業が不要となり、開口部を閉じる作業を短時間に効率的に行うことができる。
（２）袋本体の上部開口部から底部側に向けて間隔をおいた位置に、合成樹脂製の結束具を取り付けてなり、前記結束具は、扁平で細長い可撓性を有するベルト部と、該ベルト部の一端側に連設された結束部とを備え、該結束部には前記ベルト部を巻き回して挿入可能な孔部が形成されており、該孔部に前記ベルト部をその自由端部側から挿入することによって、前記ベルト部が前記結束部から離脱せずに所定位置に保持されることを特徴とする袋によれば、袋本体の上部開口部近傍を絞った状態で結束具の結束ベルトを巻き回し、結束部の孔部にベルト部を挿入することによって、ベルト部が結束部から離脱せずに所定位置に保持され、開口部を絞った状態で閉じることができるため、従来のように紐を引き出し、巻き回して結ぶという作業が不要となり、開口部を閉じる作業を短時間に効率的に行うことができる。
（３）袋本体の上部開口部から底部側に向けて間隔をおいた位置の袋の外面に、リング状をなす結束紐を取り付けてなり、前記結束紐は可撓性の紐と該紐が挿通された紐止め具とを備え、該紐止め具は、挿通された紐に対して任意の位置に停止可能であって、リングの大きさを縮径した状態に保持可能であり、前記上部開口部近傍を絞った状態で前記結束紐のリング状部を、絞った部分に被せ、リングの大きさを減ずるように前記紐止め具をスライドさせて停止させ、その状態を保持させることができるようにしたことを特徴とする袋によれば、袋本体の上部開口部近傍を絞った状態で結束紐のリング状部を、絞った部分に被せ、リングの大きさを減ずるように紐止め具をスライドさせて停止させ、その状態を保持させることによって、開口部を絞った状態で閉じることができるため、従来のように紐を引き出し、巻き回して結ぶという作業が不要となり、開口部を閉じる作業を短時間に効率的に行うことができる。
また、結束紐のリングの大きさは、絞った開口部近傍よりも若干大きい程度に予め設定することができるため、従来のように紐を結んだ際に紐の長さが余分に余って邪魔になるといったことがないという効果を奏する。
（４）土砂等を収容して土嚢袋として使用可能な袋であって、袋本体の上部開口部から底部側に向けて間隔をおいた位置に、リング状をなすゴムバンドを取り付けてなることを特徴とする袋によれば、袋の上部開口部近傍を絞った状態でゴムバンドのリング状部を、絞った部分に被せ、その弾性力で絞った開口部近傍を保持することができるため、従来のように紐を引き出し、巻き回して結ぶという作業が不要となり、開口部を閉じる作業を短時間に効率的に行うことができる。
【図面の簡単な説明】
【０００７】
【図１】実施例１の袋の正面図である。
【図２】実施例２の袋の正面図である。
【図３】実施例３の袋の正面図である。
【図４】実施例４の袋の正面図である。
【考案を実施するための形態】
【０００８】
本考案に用いられる袋は、土砂等を収容して土嚢袋として使用可能な袋であって、例えば、ポリプロピレン、ポリエチレン等のフラットヤーンクロスやこれを基材として熱可塑性樹脂フィルムを積層したもの等が好適に用いられる。
後記する各実施例において、袋１の袋本体２は、上記材料等を用いて筒状に形成した袋体で、その一端を所定の幅で二回折り返して縫合し、底部４を形成している。また、底部４と対向する上部開口部３の口縁部は内側に折り返して縫合し、補強している。
そして、袋本体２の上部開口部３から底部４側に向けて間隔（距離）をおいた位置に、袋本体２の絞った開口部３を閉じるための結束部材として機能する、所定の帯状片等を取り付けている。帯状片等が取り付けられる上記間隔は、絞られた開口部３近傍を包囲して閉じる帯状片等が開口部３から容易に外れない程度の距離とする。例えば、幅４８ｃｍ、高さ６２ｃｍ程度の大きさの袋では、約７〜８ｃｍである。また、帯状片等は、通常、折り畳まれた状態の袋本体２の左右方向の端部近傍に取り付けられる。
以下、各実施例について説明する。
【実施例１】
【０００９】
図１に示す袋１は、袋本体２の上部開口部３から底部４側に向けて間隔をおいた位置に、可撓性を有する帯状片１０を、その長手方向が上部開口部３の辺部と同方向に延びるように（同方向を指向するように）固着している。
帯状片１０は、ナイロン布その他の適宜シート状素材で形成され、その自由端部側（取付け側と反対側の端部）の片面に第１面ファスナー１１が固着され、その片面と反対側の面の、取付け側寄りに第１面ファスナー１１と係合可能な第２面ファスナー１２が固着されている。各面ファスナー１１，１２の帯状片１０への取付けは、縫い付け、接着等の適宜手段により行われる。
符号１３は帯状片１０の固着部を示す。帯状片１０の袋本体２への固着は、縫い付けあるいは接着等により行えばよい。
上記袋１によれば、袋本体２の上部開口部３を開き、土砂等を収容した後、上部開口部３近傍を手で絞った状態で帯状片１０を巻き回し、帯状片１０の第１面ファスナー１１を第２面ファスナー１２に係合、張り合わせることによって、袋本体２の絞った上部開口部３近傍を包囲して閉じることができる。
【実施例２】
【００１０】
図２に示す袋１は、袋本体２の上部開口部３から底部４側に向けて間隔をおいた位置に、合成樹脂製の結束具２０を取り付けている。
結束具２０は、扁平で細長い可撓性を有するベルト部２１と、該ベルト部２１の一端側に連設された結束部２３とを備え、該結束部２３にはベルト部２１を巻き回して挿入（挿通）可能な孔部２４が形成されており、該孔部２４にベルト部２１をその自由端部側から挿入することによって、ベルト部２１が結束部２３に係止され、離脱せずに所定位置に保持されるものである。
このような結束具２０は、コードやケーブル類等の結束具として公知のものを使用し得る。例えば、ベルト部２１の片面には長手方向に所定間隔をおいて複数のリブ２２が形成されており、一方、結束部２３の孔部２４内には、該孔部２４に挿入されたベルト部２１のリブ２２に対し弾性力をもって係止する係止片が設けられているものが挙げられる（図示省略）。
なお、図示の結束具２０は、結束部２３にシート状の取付け部２５が一体成形で連設されており、このシート状の取付け部２５において、袋本体２へ縫い付け、接着等の手段により、結束具２０が袋本体２に固着されている。このため、結束具２０の袋本体２への取付けも容易である。
上記袋１によれば、袋本体２の上部開口部３を開き、土砂等を収容した後、上部開口部３近傍を手で絞った状態で結束ベルト２１を巻き回し、結束部２３の孔部２４にベルト部２１を挿入し、ベルト部２１が結束部２３に係止されることによって、ベルト部２１が結束部２３から離脱せずに所定位置に保持され、袋本体２の絞った上部開口部３近傍を包囲して閉じることができる。
【実施例３】
【００１１】
図３に示す袋１は、袋本体２の上部開口部３から底部４側に向けて間隔をおいた位置の袋本体２の外面に、リング状をなす結束紐３０を取り付けている。図示の例では、結束紐３０の紐３１を通した結束紐取付け片３８を介して、結束紐３０を袋本体２に取り付けている。結束紐取付け片３８は紐３１を通した状態で折り返した小片である。結束紐取付け片３８は縫い付け、接着等により袋本体２に固着すればよい。
結束紐３０は可撓性の紐３１と該紐３１が挿通された紐止め具３３とを備え、該紐止め具３３は、挿通された紐３１に対して任意の位置に停止可能であって、リングの大きさを縮径した状態に保持可能であるものである。符号３７は紐の結び目であり、紐止め具３３が紐３１からの離脱するのを防止する。
紐止め具３３は、各種公知のものを使用することができる。例えば、代表的なものとしては、側面に紐３１を挿通可能な孔３４を備えた本体３５と該本体３５内に嵌挿されるボタン３６とを備え、本体内には弾性部材が内装されており（図示省略）、その弾性力に抗してボタン３６を押し下げることによって、紐止め具３３は、挿通された紐３１に対して容易に摺動するとともに、ボタン３６の押し下げを解除することによって、所定位置に停止し、その状態が保持されるものが挙げられる。
上記袋１によれば、袋本体２の上部開口部３を開き、土砂等を収容した後、上部開口部３近傍を手で絞った状態で結束紐３０のリング状部を、絞った部分に被せ、リングの大きさを減ずるように紐止め具３３をスライドさせて停止させ、その状態を保持させることによって、袋本体２の絞った上部開口部３近傍を包囲して閉じることができる。
【実施例４】
【００１２】
図４に示す袋１は、袋本体２の上部開口部３から底部４側に向けて間隔をおいた位置に、リング状をなすゴムバンド４０を取り付けている。図示の例では、ゴムバンド４０を通したゴムバンド取付け片４１を介して、ゴムバンド４０を袋本体２に取り付けている。ゴムバンド取付け片４１はゴムバンド４０を通した状態で折り返した小片である。ゴムバンド取付け片４１は縫い付け、接着等により袋本体２に固着すればよい。
ゴムバンド４０としては適宜弾性を備えた平ゴム等を使用することができる。
上記袋１によれば、袋本体２の上部開口部３近傍を手で絞った状態でゴムバンドのリング状部を、絞った部分に被せ、その弾性力により絞った開口近傍部を保持することができる。
【００１３】
以上、考案を実施するための形態を説明したが、上記の実施例に限定されず、本考案の要旨の範囲で適宜、付加、変形等なし得るものである。
【産業上の利用可能性】
【００１４】
土砂等を収容して土嚢袋として使用可能なほか、工事現場等において資材、クランプ類等の仮設機材、廃材等を収容する用途などにも適用できる。
【符号の説明】
【００１５】
１  袋
２  袋本体
３  上部開口部
４  底部
１０  帯状片
１１  第１面ファスナー
１２  第２面ファスナー
１３  固着部
２０  結束具
２１  ベルト部
２２  リブ
２３  結束部
２４  孔部
２５  取付け部
３０  結束紐
３１  紐
３３  紐止め具
３４  孔
３５  紐止め具本体
３６  ボタン
４０  ゴムバンド
４１  ゴムバンド取付け片
【図１】
0003185966.tif 000003
【図２】
0003185966.tif 000004
【図３】
0003185966.tif 000005
【図４】
0003185966.tif 000006